(57)【要約】【課題】スイッチングが機械的になされながら、シャッターボタンの押下の際に発生するスイッチング振動の問題が改善されたカメラ装置を提供することである。【解決手段】カメラ装置１は、シャッターボタン２、カメラレンズ３、シャッターボタン２により制御されてシャッターボタン２の押下を機械的に検出するスイッチ４、リード線６、コネクタ７、カメラレンズ３を通して得られる画像情報を得る装置を有する基板８を備えている。撮像者がシャッターボタン２を押下して、フランジ部２２がスイッチング駆動部４２を回転駆動させる際に発生するスイッチング振動振動は、リード線６にて吸収され、基板８には伝達されず、良好な画質の画像を記録することができる。また撮像者は、シャッターボタンを押すという動作により、撮影したという認識を持つことができる。【選択図】図２
2006292885.tif 000002
【特許請求の範囲】
【請求項１】
カメラレンズ、シャッターボタン、上記シャッターボタンの押下により機械的に制御されるスイッチ、上記カメラレンズを通して得られる画像情報を得る装置を有する基板、上記スイッチと上記基板とを接続してシャッター制御信号を伝送すると共に上記シャッターボタンの押下時に発生するスイッチング振動を吸収する可撓性のシャッター制御信号伝送体、を備えたことを特徴とするカメラ装置。
【請求項２】
上記シャッターボタンは、その押面の反対側面がクッション性部材に当接されたことを特徴とする請求項１記載のカメラ装置。
【請求項３】
上記シャッターボタンの押面の反対側面近傍に設置されて、上記シャッターボタンの押下時に撮像者に上記押下を感知させる押下力反応部を備えたことを特徴とする請求項１記載のカメラ装置。
【発明の詳細な説明】
【技術分野】
【０００１】
本発明は、カメラ装置に関し、特にシャッターボタンの押下により機械的に制御されるスイッチを備えたカメラ装置の改良に関するものである。
【背景技術】
【０００２】
機械的なスイッチアクションを採用したカメラ装置においては、シャッターボタンの押下時に発生するスイッチにおける振動（以下、スイッチング振動）のために、良好な画質の画像が得られない問題がある。これに対して後記する特許文献１から、二値的変化を呈するシャッター信号を生成する信号生成手段を備え、当該信号生成手段からの信号に応答して画像の記録を行う撮像装置において、前記信号生成手段は、外光を電気信号に変換する光センサーを含み、当該光センサーの出力に基づいて前記シャッター信号を生成することを特徴とする撮像装置が公知である。
【０００３】
当該特許文献１の従来技術では、撮像装置のシャッター部に対し機械的なスイッチアクションを採用せず、シャッター部に光センサー、例えば、ホトダイードを備え、撮影時、シャッター部に指を沿えると、外光が遮断されることによるホトダイードの抵抗値の変化を検出する検出手段によりシャッター機能を動作させるものである。また、他の実施例では、光センサーの代わりに熱センサを備え、シャッター部に指を沿えた際の熱変化による熱センサの抵抗値の変化を検出する検出手段によりシャッター機能を動作させるものである。更には、外光（光量）が不十分な環境においても使用できるように、シャッター部に発光素子を備え、シャッター部に指を沿えると、発光素子の光が遮断されることによる抵抗値の変化を検出する検出手段によりシャッター機能を動作させるものである。これらの構成により、従来技術では、シャッターを押すという動作を行わずに撮影が可能なためにシャッター振れの問題がなく、良好な画質の画像を記録できる効果が図られていた。
【０００４】
しかしながら、上記従来例では、電源がＯＮされた状態で撮像装置を手に持っていた場合、誤ってシャッター部に指が当たってしまうだけでシャッターが切られ、不要な撮影がなされてしまうという問題があった。また、外光（光量）が不十分な環境においても使用できるようにするためには、シャッター部に発光素子を備えなければならず、コストアップという問題があった。また、電源ＯＮと共に、常時発光素子を光らせていなければならず、消費電力上の問題があった。また、撮影操作時、シャッターボタンを押すということがないために、ユーザが撮影をしたという認識が得られず、さらにシャッターボタン押下時のクリック感が得られないため操作感が悪いという問題もあった。
【特許文献１】特開平１１−２９５７７８号公報（請求項１）
【発明の開示】
【発明が解決しようとする課題】
【０００５】
本発明は、従来技術における如上の問題に鑑みて、スイッチングが機械的になされながら、シャッターボタンの押下によるスイッチング振動に基づく画質低下の問題が改善されたカメラ装置に関するものである。
【課題を解決するための手段】
【０００６】
本発明のカメラ装置は、カメラレンズ、シャッターボタン、上記シャッターボタンの押下により機械的に制御されるスイッチ、上記カメラレンズを通して得られる画像情報を得る装置を有する基板、上記スイッチと上記基板とを接続してシャッター制御信号を伝送すると共に上記シャッターボタンの押下時に発生するスイッチング振動を吸収する可撓性のシャッター制御信号伝送体、を備えたことを特徴とするものである。
【発明の効果】
【０００７】
本発明によれば、撮像者が撮影時にシャッターボタンを押下し、それを機械的に検出するスイッチをＯＮさせた場合において、当該スイッチは、可撓性のシャッター制御信号伝送体を介して上記基板にコネクタ接続されているため、シャッターボタンの押下時に発生するスイッチング振動は上記シャッター制御信号伝送体で吸収されて基板に伝達されないため、良好な画質の画像を記録することができる。
【０００８】
また撮像者は、シャッターボタンを押すという動作により、撮影したという認識を持つことができる。さらに請求項３に示す構成では、撮像者が撮影時にシャッターボタンを押下してスイッチをＯＮさせた場合において、上記シャッターボタンの押面の反対側面近傍に設置されて、上記シャッターボタンの押下時に撮像者に上記押下を感知させる押下力反応部を備えているので、撮像者はクリック感が得られ撮影したことの認識が一層明確となって操作感が増す。
【発明を実施するための最良の形態】
【０００９】
以下の説明において、図２に後続する図では図２に示された部分と同じ部分は互いに同じ符号を付して、符号の説明あるいは一部の符号付けを省略する。
【００１０】
実施の形態１
図１〜図３は、本発明におけるカメラ装置に就いての実施の形態１を説明するものであって、図１は当該カメラ装置の外観を示す正面図であり、図２および図３は、いずれも図１の点線Ａで囲まれた部分における、紙面に対して垂直の方向から透視したときに存在する部分の正面図を含む、紙面に平行な断面図であって、図２はシャッターボタン２を押下する前の図であり、図３はシャッターボタン２を押下した状態の図である。
【００１１】
図１〜図３において、カメラ装置１は、シャッターボタン２、カメラレンズ３、シャッターボタン２により制御されてシャッターボタン２の押下を機械的に検出するスイッチ４、カメラ装置１の外装筐体５、前記したシャッター制御信号伝送体の一例としてのリード線６、コネクタ７、外装筐体５に内蔵されてカメラレンズ３を通して得られる画像情報を得る装置を有する基板８、および前記クッション性部材の一例としてのクッション性シート９を備えている。図２および図３において、スイッチ４とリード線６とは、図１の点線Ａで囲まれた部分を紙面に対して垂直の方向から透視したときの正面図として示されている。本発明においてクッション性シート９は必須ではないが、それをシャッターボタン２の同図中での下部に設けることにより、シャッターボタン２の押下時に発生するスイッチング振動を吸収減衰する効果がある。クッション性シート９としては、例えばシリコーンゴム、加硫あるいは架橋した各種の天然あるいは合成ゴムなどから形成されたスポンジ、発泡体などの可撓性材料のシートが用いられ、フランジ部２２の片面は接着固定以外にも、シャッターボタン２と上記可撓性材料とを一体成形した構成でも良い。
【００１２】
シャッターボタン２は、一面が外装筐体５から露出した本体部２１と、本体部２１と一体的に形成されて且つ外装筐体５内に位置するフランジ部２２とから構成されている。またフランジ部２２の下面は、クッション性シート９の片面に接着剤（図示せず）により接着固定されている。カメラレンズ３は、その内部に被写体の画像情報を電気信号に変換するＣＣＤ（図示せず）を備えている。
【００１３】
スイッチ４は、外装筐体５の内面に爪嵌合されたスイッチ本体４１、スイッチング駆動部４２、スイッチ本体４１内に設置されて点線で示す第一接点４３、およびスイッチ本体４１内に設置されて点線で示す第二接点４４を備えている。またスイッチング駆動部４２は、一端がスイッチ本体４１内から露出した露出部分４２１とスイッチ本体４１内に位置して点線で示す内部分４２２とからなり、内部分４２２の中心４２３の周りに矢印Ｂまたは矢印Ｃの方向に回転可能にスイッチ本体４１に保持されている。一方、露出部分４２１は、クッション性シート９を介してシャッターボタン２のフランジ部２２と接触しており、シャッターボタン２の押下の際にフランジ部２２により矢印Ｂの方向に回転する（図３参照）。また第一接点４３は、スイッチ４の内部分４２２の外面に固定されていて、スイッチング駆動部４２が矢印Ｂの方向に回転することにより移動して、図３に示すように第二接点４４と電気的に接触してスイッチＯＮ状態とする。
【００１４】
さらに、スイッチ４は、リード線６およびコネクタ７を介して基板８に接続されている。コネクタ７としては、ＢtoＢ（Board to Board）コネクタが例示されるが、リード線６と基板８との電気的接続は、ＢtoＢコネクタ接続に限らず、例えば半田付けなどの別手段でも良い。スイッチ４は、上記爪嵌合とは別の手段、例えば、接着固定や貼り付け固定されていても良く、さらにまた外装筐体５以外の別の構成部品に固定されていても良い。
【００１５】
以下、図１〜図３により実施の形態１のカメラ装置１の動作を説明する。カメラ装置１の撮像者は、被写体の撮影時、図１に示すカメラ装置１を両手あるいは片手で保持し、人差し指（以下、操作指と呼ぶ）にて、シャッターボタン２を押すことにより撮影が行える。この時、シャッターボタン２の配置位置は、操作指が無理なく届き、押し込み操作がし易い位置に配置されるように工夫されている。この点については、従来品と同等に設計されていて良い。撮像者がシャッターボタン２を押下することにより、図３に示す通りフランジ部２２がスイッチング駆動部４２を矢印B方向に回転駆動させ、第一接点４３と第二接点４４とが接触し導通することにより、前記ＣＣＤで捉えた被写体の画像情報を電気信号に変換し、内部に備えたメモリ（図示せず）に記録される。
【００１６】
この時、撮像者がシャッターボタン２を押下したとき、フランジ部２２がスイッチング駆動部４２を回転駆動させる際に発生するスイッチング振動は、リード線６にて吸収され、基板８には伝達されない。よってシャッターボタン２を押した際に上記振動があっても良好な画質の画像を記録することができる。また撮像者は、シャッターボタンを押すという動作により、撮影したという認識を持つことができる。その際にリード線６としては、上記振動を吸収可能なように、例えば撚り線導体をポリエチレン、エチレンープロピレン共重合ゴムなどの電気絶縁性高分子で被覆した構造の可撓性のものであって、且つスイッチ４とコネクタ７との離隔距離より少し長目の長尺線であれば良い。
【００１７】
なお実施の形態１では、本発明におけるシャッター制御信号伝送体としてリード線６を採用しているが、リード線６に限らず、バネ状伝送体など、要はシャッターボタンの押下時に発生するスイッチング振動を吸収する機能を有するものであれば良い。またスイッチ４のスイッチング駆動部４２は回転駆動する構造としているが、スイッチング駆動部４２をフランジ部２２により押し込まれた際、水平方向の力が発生するような形状とし、水平方向に駆動してスイッチングがなされる構造であっても良い。また、実施の形態１におけるメモリは、フラッシュメモリであり、即ち、実施の形態１におけるカメラ装置１は、いわゆるデジタルカメラ（電子スチルカメラともいう）であるが、これに限らず、例えば、被写体の画像情報パターンをフィルムに写し取る、いわゆる銀塩カメラであっても良い。また、近年急速に普及したカメラ付き携帯電話であっても良い。
【００１８】
実施の形態２．
図４および図５は、本発明におけるカメラ装置に就いての実施の形態２を説明するものであり、それぞれ前記図２および図３に対応して前記図１の点線Ａで囲まれた部分の、一部透視正面図を含む、紙面に平行な断面図であって、図４はシャッターボタン２を押下する前の説明図であり、図５はシャッターボタン２を押下した状態の説明図である。
【００１９】
図４および図５において、クッション性シート９の基板８側面には、突起部（以下、アクチュエータ９１）が設けられており、アクチュエータ９１はクッション性シート９と一体成形されている。一方、基板８のクッション性シート９側面にはアクチュエータ９１と略同軸的に金属ドーム１０が設けられている。金属ドーム１０は、片面に粘着層を有する粘着テープ１０１にて基板８に貼り付け固定されている。しかしてアクチュエータ９１と金属ドーム１０との複合体は、シャッターボタン２の押下時に撮像者に上記押下を感知させる前記した押下力反応部の一例である。
【００２０】
以下、図１、図４、および図５により実施の形態２のカメラ装置１の動作を説明する。撮像者は、被写体の撮影時、図１に示す装置本体１を両手或いは片手で保持し、人差し指（操作指）にてシャッターボタン２を押すことにより撮影が行える。撮像者がシャッターボタン２を押下することにより、図５に示す通り、フランジ部２２がスイッチング駆動部４２をＢ方向（図３参照）に回転駆動させ、第一接点４３と第二接点４４とが接触し導通することにより、ＣＣＤ（図示せず）で捉えた被写体の画像情報を電気信号に変換し、この時点で既に内部に備えたメモリ（図示せず）に記録され、撮影は完了している。
【００２１】
その際に、撮像者は撮影完了のことを認識することなく、シャッターボタンを更に押し込むため、アクチュエータ９１が金属ドーム１０を押下し、その押下力により金属ドーム１０が図５に示すように変形する際にクリック感が撮像者に感知される。従って前記実施の形態１の場合と同様に、シャッターボタンを押下したとき、フランジ部２２がスイッチング駆動部４２を回転駆動させる際に発生するスイッチング振動はリード線６にて吸収され、基板８には伝達されない。よってシャッターボタン２を押した際に上記振動があっても良好な画質の画像を記録することができる。さらに撮像者は、シャッターボタン２を押した際にクリック感が得られ、撮影したという安心感と共に良い操作感が得られる。
【００２２】
なおアクチュエータ９１とクッション性シート９とは、互いに別体とし、且つアクチュエータ９１は、クッション性シート９に接着、融着、あるいはその他の方法で結合されていても良いが、一体、別体のいずれにせよ、上記したようにシャッターボタンの押下力を金属ドーム１０に伝達して、それを図５に示すように変形させる機械的強度を有する必要がある。しかしアクチュエータ９１が、クッション性シート９の形成材料例として前記した材料から形成されておれば、かかる押下力の伝達機能は達せられる。
【００２３】
なお金属ドーム１０は、粘着テープ１０１以外の手段、例えば半田付け実装されても良い。さらに本発明における押下力反応部としては、アクチュエータ９１と金属ドーム１０との複合体に限らず、それ以外にも例えば金属ドーム１０に代えてクリック感が得られるタクトスイッチを半田実装したものであっても良い。
【産業上の利用可能性】
【００２４】
本発明は、デジタルカメラやカメラ付き携帯電話に多用される可能性が高い。
【図面の簡単な説明】
【００２５】
【図１】実施の形態１のカメラ装置の外観を示す正面図である。
【図２】図１の点線Ａで囲まれた部分における一部透視正面図を含む断面図である。
【図３】図１の点線Ａで囲まれた部分における一部透視正面図を含む他の断面図である。
【図４】実施の形態２の、図２に対応する一部透視正面図を含む断面図である。
【図５】実施の形態２の、図３に対応する一部透視正面図を含む断面図である。
【符号の説明】
【００２６】
１  カメラ装置、２  シャッターボタン、２１  本体部、２２  フランジ部、
３  カメラレンズ、４  スイッチ、４１  スイッチ本体、４２  スイッチング駆動部、
４２１  露出部分、４２２  内部分、４２３  中心、４３  第一接点、４４  第二接点、５  外装筐体、６  リード線、７  コネクタ、８  基板、９  クッション性シート、
９１  アクチュエータ、１０  金属ドーム、１０１  粘着テープ。
【図１】
2006292885.tif 000003
【図２】
2006292885.tif 000004
【図３】
2006292885.tif 000005
【図４】
2006292885.tif 000006
【図５】
2006292885.tif 000007